(57)【特許請求の範囲】
【請求項１】
表板(11)と裏板(12)を貫通して換気窓(14)を開口しているドア本体(10)と、このドア本体(10)の内部に水平方向に移動できるように配設されて、換気窓(14)を開閉するガラス板(20)と、このガラス板(20)を開かれた位置に停止させるストッパ(30)と、このストッパ(30)がガラス板(20)を開位置に停止しているのを、ドアが開かれたことを検出して解除するストッパ解除機構(40)と、ストッパ解除機構(40)がストッパ(30)を解除する状態でガラス板(20)を閉じる方向に移動させる閉機構とを備え、換気窓(14)は縦長であって、その幅を１０ｃｍよりも狭くして、ドアの上下に延長して設けられており、
ガラス板(20)が、その上端部を水平移動機構(50)を介してドア本体(10)に水平方向に移動できるように連結しており、
ガラス板(20)が開位置にあって換気窓(14)を換気状態としているドアが開かれると、ストッパ解除機構(40)がストッパ(30)を解除し、ストッパ(30)が解除されると閉機構がガラス板(20)を閉じるように構成してなるドア。
【請求項２】
表板(11)と裏板(12)を貫通して換気窓(14)を開口しているドア本体(10)と、このドア本体(10)の内部に水平方向に移動できるように配設されて、換気窓(14)を開閉するガラス板(20)と、このガラス板(20)を開かれた位置に停止させるストッパ(30)と、このストッパ(30)がガラス板(20)を開位置に停止しているのを、ドアが開かれたことを検出して解除するストッパ解除機構(40)と、ストッパ解除機構(40)がストッパ(30)を解除する状態でガラス板(20)を閉じる方向に移動させる閉機構とを備え、換気窓(14)は縦長であって、その幅を１０ｃｍよりも狭くして、ドアの上下に延長して設けられており、
ストッパ(30)が、磁気的な吸着力でガラス板(20)を開位置に停止させる永久磁石(31)であり、
ガラス板(20)が開位置にあって換気窓(14)を換気状態としているドアが開かれると、ストッパ解除機構(40)がストッパ(30)を解除し、ストッパ(30)が解除されると閉機構がガラス板(20)を閉じるように構成してなるドア。
【請求項３】
表板(11)と裏板(12)を貫通して換気窓(14)を開口しているドア本体(10)と、このドア本体(10)の内部に水平方向に移動できるように配設されて、換気窓(14)を開閉するガラス板(20)と、このガラス板(20)を開かれた位置に停止させるストッパ(30)と、このストッパ(30)がガラス板(20)を開位置に停止しているのを、ドアが開かれたことを検出して解除するストッパ解除機構(40)と、ストッパ解除機構(40)がストッパ(30)を解除する状態でガラス板(20)を閉じる方向に移動させる閉機構とを備え、換気窓(14)は縦長であって、その幅を１０ｃｍよりも狭くして、ドアの上下に延長して設けられており、
ストッパ解除機構(40)が、ドアに傾動できるように連結してなる傾動アーム(41)と、この傾動アーム(41)を弾性的に回動させる弾性体(42)とを備え、ドアが開かれると、傾動アーム(41)がドアの側面から突出するように弾性体(42)が傾動アーム(41)を傾動させて、ドアの側面から突出するように移動して、傾動アーム(41)がドアの側面から突出する状態で、ストッパ(30)を解除するようにしており、
ガラス板(20)が開位置にあって換気窓(14)を換気状態としているドアが開かれると、ストッパ解除機構(40)がストッパ(30)を解除し、ストッパ(30)が解除されると閉機構がガラス板(20)を閉じるように構成してなるドア。
【発明の詳細な説明】
【０００１】
【発明の属する技術分野】
本発明は、閉じた状態で換気できるドアに関する。
【０００２】
【従来の技術】
閉めた状態で換気できるドアは、安全に換気できるので便利に使用できる。このことを実現するドアは開発され、以下の公報に記載される。
(1)  特開平７−７０８７２号
(2)  実開平２−１１１４６１号
【０００３】
(1)の公報には、ドア枠に換気窓を設ける構造が記載される。このドア枠は、上枠の幅を相当に広くして換気窓を設けている。換気窓は、開閉できるように開閉プレートを設けている。さらに（２）の公報は、袖壁に換気窓を設ける構造が記載される。
【０００４】
これ等の公報に記載されるドアは、ドア枠や袖壁に換気窓を設けるので、ドア枠や袖壁を特別な構造とする必要がある。このため、最も一般的に使用される幅の狭いドア枠ではこの構造を採用できない。この欠点は、実開平３−９４１８３号の公報に記載されるように、ドアに換気窓を開口して解消できる。この公報に記載されるドアは、ドアの両面に貫通して大きな換気窓を開口している。ドアは、換気窓を開閉するスライド小扉を内蔵している。
【０００５】
【発明が解決しようとする課題】
ドアに換気窓を設ける構造は、ドア枠を専用設計する必要がなく、ほとんどの建物に使用できる。しかしながら、この構造のドアは、換気窓を開いた状態で外出すると用心が悪くなる欠点がある。換気窓を閉じて外出すると用心が悪いことはない。ただ、換気窓を閉じるのを忘れて外出するのを皆無にはできない。このため、常に安心して換気窓を開くことができない。また、換気窓を金属網で閉塞しているので、外出しない状態であっても、換気窓を開いた状態では用心が悪い。金網を破ると外部から侵入できるからである。
【０００６】
本発明は、このような欠点を解決することを目的に開発されたものである。本発明の重要な目的は、ドアに設けた換気窓で換気できると共に、極めて安全に換気できるドアを提供することにある。
【０００７】
【課題を解決するための手段】
本発明のドアは、表板１１と裏板１２を貫通して換気窓１４を開口しているドア本体１０と、このドア本体１０の内部に水平方向に移動できるように配設されて、換気窓１４を開閉するガラス板２０と、このガラス板２０を開かれた位置に停止させるストッパ３０と、このストッパ３０がガラス板２０を開位置に停止しているのを、ドアが開かれたことを検出して解除するストッパ解除機構４０と、ストッパ解除機構４０がストッパ３０を解除する状態でガラス板２０を閉じる方向に移動させる閉機構とを備える。換気窓１４は、縦長であって、その幅を１０ｃｍよりも狭くして、ドアの上下に延長して設けている。このドアは、ガラス板２０が開位置にあって換気窓１４を換気状態としているドアが開かれると、ストッパ解除機構４０がストッパ３０を解除し、ストッパ３０が解除されると閉機構がガラス板２０を閉じるようにしている。
【０００８】
ガラス板２０は、その上端部を水平移動機構５０を介してドア本体１０に水平方向に移動できるように連結することができる。ストッパ３０は、磁気的な吸着力でガラス板２０を開位置に停止させる永久磁石３１とすることができる。ストッパ解除機構４０は、ドアに傾動できるように連結してなる傾動アーム４１と、この傾動アーム４１を弾性的に回動させる弾性体４２とで構成して、ドアが開かれると、傾動アーム４１がドアの側面から突出するように、弾性体４２で傾動アーム４１を傾動させることができる。このストッパ解除機構４０は、傾動アーム４１がドアの側面から突出するように移動した状態でストッパ３０を解除する。
【０００９】
【発明の実施の形態】
以下、本発明の実施例を図面に基づいて説明する。ただし、以下に示す実施例は、本発明の技術思想を具体化するためのドアを例示するものであって、本発明はドアを下記のものに特定しない。
【００１０】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図１ないし図４に示すドアは、表板１１と裏板１２を貫通して換気窓１４を開口しているドア本体１０と、このドア本体１０の内部に水平方向に移動できるように配設されて、換気窓１４を開閉するガラス板２０と、このガラス板２０を開かれた位置に停止させるストッパ３０と、このストッパ３０がガラス板２０を開位置に停止しているのを、ドアが開かれたことを検出して解除するストッパ解除機構４０と、ストッパ解除機構４０がストッパ３０を解除する状態でガラス板２０を閉じる方向に移動させる閉機構とを備える。
【００１２】
ドア本体１０は、方形状に連結している枠体１３の表面に、表板１１と裏板１２とを固定している。図のドア本体１０は、表板１１と裏板１２の同じ位置を貫通して換気窓１４と採光窓１５とを開口している。換気窓１４と採光窓１５は縦長の長方形で、上下方向に延長して開口されている。採光窓１５と換気窓１４は、その幅を４ｃｍとして、縦の長さを１４７ｃｍとしている。採光窓１５と換気窓１４は、ガラス等が破損されても外部から侵入できないように、その幅を１０ｃｍよりも狭くする。さらに、開閉される換気窓１４は、ドアの中心よりも蝶番１６側に近い位置に設けられる。それは、侵入者が換気窓１４から手を入れて、蝶番１６側と反対側に設けているドアロック１７を解除できないようにするためである。図のドア本体１０は、蝶番１６側に換気窓１４を設けて、蝶番１６側とは反対側のドアロック１７側に採光窓１５を開口している。採光窓１５と換気窓１４は、幅を制限しているので、上下方向に長くして開口面積を大きくしている。したがって、採光窓１５と換気窓１４は、好ましくはドア全体の高さの半分よりも長くする。図のドアは、全体の高さを約１９０ｃｍとして、採光窓１５と換気窓１４の高さを１４７ｃｍとし、全高の約７７％としている。
【００１３】
採光窓１５は、網入りガラス２５で閉塞している。網入りガラス２５はドア本体１０に固定される。換気窓１４は、ガラス板２０を開閉できるように設けている。図のドアは、換気窓１４の外側を金属製の多孔板２３で閉塞している。この多孔板２３は、図４に示すように、ステンレス板に多数の貫通孔２３Ａを設けたものである。さらに、多孔板２３の裏面には、金属網２４を張設している。金属網２４は、換気窓１４から虫等が侵入するのを防止する。この構造のドアは、ガラス板２０を開いた状態で、換気窓１４を金属製の多孔板２３で閉塞するので、より安全に使用できる。ただ、換気窓は、必ずしも多孔板や金属網で閉塞する必要はない。それは、換気窓の幅を狭くしているので、ここから侵入できないからである。
【００１４】
ガラス板２０は、網入りで、図５ないし図７の斜視図に示すように、上縁と下縁と側縁に補強プレート２１が固定される。補強プレート２１は、ステンレスや表面をメッキした鉄板等の金属板をコ字状に折曲加工したものである。補強プレート２１は、ガラス板２０の周縁に接着して固定される。この補強プレート２１は、ガラス板２０の周縁を補強して破損するのを防止する。さらに、ガラス板２０の側面に固定している補強プレート２１は、ガラス板２０を開閉するための取っ手２２を固定している。取っ手２２は、図３の断面図に示すように、換気窓１４から室内側に突出する。この取っ手２２を操作して、ガラス板２０は室内側から開閉される。
【００１５】
ガラス板２０は、その上端部を水平移動機構５０を介してドア本体１０に水平方向に移動できるように連結している。水平移動機構５０は、ガラス板２０の上端を吊り下げる状態で水平方向に移動させる。上端を吊り下げてガラス板２０を水平方向に移動させる水平移動機構５０は、縦に長いガラス板２０を、スムーズに移動できる特長がある。図の水平移動機構５０は、図８の拡大断面図に示すように、一対のスライドレール５１と、スライドレール５１との間に配設している複数のボール５３とからなる。スライドレール５１は、互いに上下縁に沿ってガイド溝５２を設けており、このガイド溝５２にボール５３を転動できるように配設している。一方のスライドレール５１は、上下縁の内側に対向するようにガイド溝５２を設けており、他方のスライドレール５１は、上下縁の外側にガイド溝５２を設けている。ガイド溝５２はＵ溝で、ボール５３を転動できるようにしている。図の水平移動機構５０は、内側にガイド溝５２を設けている一方のスライドレール５１をドア本体１０に固定して、外側にガイド溝５２のあるスライドレール５１をガラス板２０に固定している。
【００１６】
以上のように、一対のスライドレール５１を、ガイド溝５２に設けたボール５３で移動させる水平移動機構５０は、極めてスムーズにガラス板２０を水平方向に移動できる特長がある。ただ、本発明のドアは、水平移動機構を以上の構造には特定しない。図９に示すように、ガラス板２０の上端に複数の車輪５６を連結し、この車輪５６を転動させるレール５５をドア本体１０に固定して、ガラス板２０を水平方向に移動させる水平移動機構等、ガラス板２０を水平方向に移動できる全ての機構とすることができる。
【００１７】
水平移動機構５０は、スライドレール５１やレール５５をわずかに傾斜させている。この水平移動機構５０は、ガラス板２０をほぼ水平には移動させるが、完全な水平には移動させない。スライドレール５１やレール５５は、ガラス板２０を閉じる方向に下り勾配に傾斜させている。このスライドレール５１やレール５５は、ガラス板２０を自重で閉じる方向に移動させる。したがって、この水平移動機構５０は、傾斜するスライドレール５１やレール５５でガラス板２０の閉機構を実現している。この閉機構は、極めて簡単な構造で故障を極めて少なくして、メンテンナスを簡単にできる。この閉機構は、ストッパ解除機構４０がストッパ３０を解除する状態でガラス板２０を閉じる方向に移動させる。ただ本発明のドアは、閉機構をこの構造には特定しない。閉機構は、たとえばスプリング等の弾性体でガラス板を閉じる方向に引っ張る機構等、ガラス板を閉じる方向に移動できる全ての機構を採用できる。
【００１８】
ストッパ３０は、開かれた位置にあるガラス板２０を、開位置に停止させる。図４に示すストッパ３０は、磁気的な吸着力でガラス板２０を開位置に停止させる永久磁石３１である。永久磁石３１は、ドア本体１０の内部に固定されて、ガラス板２０を開いた状態でガラス板２０に固定している磁性体３２を吸着する。図のストッパ３０は、永久磁石３１をドア本体１０に固定して、ガラス板２０にはこの永久磁石３１に吸着される鉄板等の磁性体３２を固定しているが、反対に、ガラス板に永久磁石を固定して、ドア本体に磁性体を固定することもできる。また、ガラス板とドア本体の両方に互いに吸着されるように永久磁石を固定することもできる。
【００１９】
さらに、ストッパ３０は、図９に示すように、水平移動機構５０のレール５５に設けた凸部３５で構成することもできる。このドアは、ガラス板２０を開くと、車輪５６がストッパ３０である凸部３５を越えて移動する。レール５５に設けた凸部３５は、ガラス板２０を閉じる方向に移動するのを停止して、ガラス板２０を開位置に停止させる。
【００２０】
ストッパ解除機構４０は、図４に示すように、ドアに傾動できるように連結している傾動アーム４１と、この傾動アーム４１を弾性的に回動させる弾性体４２とを備える。傾動アーム４１は、ドアから突出する突出部４１Ａを一端に設けて、他端をガラス板２０の側面まで延長して押圧部４１Ｂとしている。この傾動アーム４１は、ドアの開閉で傾動される。ドアを閉じる状態で、傾動アーム４１は、突出部４１Ａがドア枠６０に押し込まれて図４の鎖線で示す位置にある。ドアを開くと、弾性体４２で押されて実線で示す位置に傾動する。鎖線で示す位置にある傾動アーム４１は、開く位置にあるガラス板２０の側面に押圧部４１Ｂを配置させる。この位置にある押圧部４１Ｂは、ガラス板２０に接近し、あるいは接触するがガラス板２０を開位置に保持する。ドアが開かれて実線位置に移動する傾動アーム４１は、押圧部４１Ｂでガラス板２０を押して、開位置から閉じる方向に移動させる。ガラス板２０が開位置から閉じる位置に移動されると、永久磁石３１が磁性体３２から離れて、磁気的な吸着力で開位置に停止できなくなる。すなわち、ストッパ３０がガラス板２０を開位置に保持するのが解除される。したがって、ドアが開かれると、水平移動機構５０はガラス板２０を開位置から閉じる方向に移動させて、ストッパ３０を解除する。ストッパ３０が解除されたガラス板２０は、閉機構である傾斜するスライドレール５１やレール５５に沿って自重で移動して、閉じる位置まで移動する。
【００２１】
図９のストッパ解除機構４０は、ドア本体１０に軸方向に移動されるように装着しているロッド４５と、このロッド４５を弾性的にドアから押し出す弾性体４６とを備える。ロッド４５は、一端をドアから突出する突出部４５Ａとし、他端にはストッパ３０である永久磁石３１を固定している。弾性体４６は、弾性的に伸縮されるコイルスプリングで、ロッド４５が挿通されている。図のコイルスプリングは引きバネである。引きバネである弾性体４６は、ロッド４５がドア内に押し込まれると弾性的に伸長されるようにロッド４５とドア本体１０とに連結されている。このストッパ解除機構４０は、ドアの開閉でロッド４５を軸方向に移動させる。ドアが閉じられた状態では、ロッド４５はドア内に押し込まれた状態にあり、弾性体４６が弾性的に伸長される状態となる。ドアが開かれると、弾性的に伸長している弾性体４６は、弾性的な収縮しようとする力でロッド４５の突出部４５Ａがドアの側面から突出する方向にロッド４５を押し出す。ドアが閉じられると、突出部４５Ａがドア枠６０に押されて、ロッド４５はドア内に押し込まれる。ただ、弾性体であるコイルスプリングは、押しバネとすることもできる。押しバネである弾性体は、ロッドがドア内に押し込まれると圧縮されて、弾性的な力でロッドを押し出すように配設される。
【００２２】
さらに、この図のドアは、ガラス板２０を所定の開位置に停止させるストッパとして、停止材３６をドア本体１０の内部に固定している。さらに、この図のドアは、レール５５にストッパ３０として凸部３５を設けているが、停止材３６と永久磁石３１でガラス板２０を開位置に停止できるドアは、レール５５にストッパ３０として設けている凸部３５を必ずしも設ける必要はない。このドアは、ガラス板２０のストッパ３０を永久磁石３１と停止材３６で構成できるからである。停止材３６は、ガラス板２０の側縁に当接して、ガラス板２０の開位置を特定する。
【００２３】
この図のドアは、閉めた状態でガラス板２０を開くと、ガラス板２０が永久磁石３１のストッパ３０で開位置に停止される。このとき、ロッド４５は、突出部４５Ａが押し込まれた位置にあって、ロッド４５の永久磁石３１がガラス板２０の磁性体３２に吸着される。このため、ガラス板２０は開位置に停止される。この状態でドアが開かれると、弾性体４６がロッド４５をドアの外側に押し出すので、永久磁石３１がガラス板２０の磁性体３２から離れる。このため、永久磁石３１がガラス板２０を開位置に停止できなくなり、すなわちストッパ３０が解除される。このため、ガラス板２０は、下り勾配のレール５５に沿って移動して、閉じる位置まで移動する。すなわち、ドアが開かれると、ガラス板２０は、換気窓１４を閉じる位置まで移動する。
【００２４】
【発明の効果】
本発明のドアは、ドアに設けた換気窓で極めて安全に換気できる特長がある。それは、本発明のドアが、ドア本体の内部に、水平方向に移動して換気窓を開閉するガラス板を配設すると共に、このガラス板を開位置に停止させるストッパと、ドアが開かれたことを検出してストッパを解除するストッパ解除機構と、ストッパを解除する状態でガラス板を閉じる方向に移動させる閉機構とを備え、ガラス板が開位置にあって換気状態のドアが開かれると、ストッパ解除機構がストッパを解除して、閉機構でガラス板を閉じるようにしているからである。この構造のドアは、換気窓を開いた状態でドア本体を開くと、ストッパ解除機構がストッパを解除して閉機構がガラス板を閉じるので、換気窓を閉じるのを忘れて外出するのを確実に防止できる。それは、外出するときにドア本体を開くと、必然的にガラス板が閉じられるからである。このように、本発明のドアは、換気窓を開いたまま外出してしまう心配がないので、常に安心して換気窓を開くことができる。
【図面の簡単な説明】
【図１】  本発明の一実施例にかかるドアの正面図
【図２】  図１に示すドアのＡ−Ａ線断面図
【図３】  図１に示すドアのＢ−Ｂ線断面図
【図４】  図１に示すドアの内部構造を示す一部断面正面図
【図５】  図１に示すドアの換気窓部分の分解斜視図
【図６】  図１に示すドアの換気窓部分の分解斜視図
【図７】  図１に示すドアの換気窓部分の一部断面斜視図
【図８】  図２に示すドアの水平移動機構の拡大断面図
【図９】  本発明の他の実施例にかかるドアの内部構造を示す図
【符号の説明】
１０…ドア本体
１１…表板
１２…裏板
１３…枠体
１４…換気窓
１５…採光窓
１６…蝶番
１７…ドアロック
２０…ガラス板
２１…補強プレート
２２…取っ手
２３…多孔板              ２３Ａ…貫通孔
２４…金属網
２５…網入りガラス
３０…ストッパ
３１…永久磁石
３２…磁性体
３５…凸部
３６…停止材
４０…ストッパ解除機構
４１…傾動アーム          ４１Ａ…突出部            ４１Ｂ…押圧部
４２…弾性体
４５…ロッド              ４５Ａ…突出部
４６…弾性体
５０…水平移動機構
５１…スライドレール
５２…ガイド溝
５３…ボール
５５…レール
５６…車輪
６０…ドア枠
【図１】
0003916506.tif 000002
【図２】
0003916506.tif 000003
【図３】
0003916506.tif 000004
【図４】
0003916506.tif 000005
【図５】
0003916506.tif 000006
【図６】
0003916506.tif 000007
【図７】
0003916506.tif 000008
【図８】
0003916506.tif 000009
【図９】
0003916506.tif 000010